(57)【特許請求の範囲】
【請求項１】
屈曲部を有する仕切板を上下に伸びた板により形成するとともに下端を丸めて形成し、この仕切板を替芯ケースの収納室に挿入し、収納室を複数の室に分割したことを特徴とする替芯ケース。
【請求項２】
上端が開口した箱型の本体と、本体の上部に嵌合する蓋体と、屈曲部を有する仕切板を有し、前記仕切板を上下に伸びた板により形成するとともに下端を丸めて形成し、この仕切板を本体に形成された収納室に挿入し、本体の収納室を複数の室に分割して構成したことを特徴とする替芯ケース。
【請求項３】
仕切板を断面山型に屈曲して形成し、収納室を３つに分割したことを特徴とする請求項１又は２記載の替芯ケース。
【請求項４】
仕切板の中央に長手方向に伸びた凹溝を形成し、該凹溝部分を折り曲げて屈曲部を形成したことを特徴とする請求項３記載の替芯ケース。
【請求項５】
替芯ケースの収納室を複数の室に分割し、各室ごとにそれぞれ異なる色の芯を収納したことを特徴とする請求項１乃至４のいずれか１項に記載の替芯ケース。
【請求項６】
本体及び仕切板を透明に構成し、収納室内の芯を目視可能に構成したことを特徴とする請求項２乃至５のいずれか１項に記載の替芯ケース。
【発明の詳細な説明】
【０００１】
【発明の属する技術分野】
本発明は、シャープペンシル用の芯を区分して収納するために、収納室を複数の室に分割して構成した替芯ケースに関するものである。
【０００２】
【従来の技術】
従来の替芯ケースは、仕切部を本体に一体に形成したり、収納室にピッタリ納まるように仕切部材のベースを収納室の底面と同形に形成し、該ベース部に隔壁部を一体に構成していた。
【０００３】
【発明が解決しようとする課題】
したがって、仕切部を本体に形成した替芯ケースは、１種類の芯を収納する替芯ケースと共通にならず、成形するための金型費用が新たに必要となるため非常にコスト高になるという課題があった。
【０００４】
また、仕切部材をベース部と隔壁部により構成するものは、形状が複雑となり、やはり生産コストが高くなるという課題があった。
【０００５】
本発明は、上記課題を解消する替芯ケースを提供することを目的とするものである。
【０００６】
【課題を解決するための手段】
よって、請求項１記載の発明は、屈曲部を有する仕切板を上下に伸びた板により形成するとともに下端を丸めて形成し、この仕切板を替芯ケースの収納室に挿入し、収納室を複数の室に分割して構成したものである。
【０００７】
また、請求項２記載の発明は、上端が開口した箱型の本体と、本体の上部に嵌合する蓋体と、屈曲部を有する仕切板を有し、前記仕切板を上下に伸びた板により形成するとともに下端を丸めて形成し、この仕切板を本体に形成された収納室に挿入し、本体の収納室を複数の室に分割して構成したものである。
【０００８】
したがって、請求項１及び２記載の発明は、従来の替芯ケースに極めて簡単な形状の仕切板を挿入するのみで複数の室に分割して構成でき、異なる色の芯をそれぞれの室に区分して収納することができるので、異なる色の芯が互いに接触して表面を汚すといった恐れが全く生じないものである。更に、仕切板の下部を丸めて形成するので、仕切板が収納室内に容易に挿入できるものである。
【０００９】
また、請求項３記載の発明は、仕切板を断面山型に屈曲して形成し収納室を３つに分割するので、仕切板が極めて簡単に形成できるものである。
【００１０】
更にまた、請求項４記載の発明は、仕切板の中央に長手方向に伸びた凹溝を形成し、該凹溝を折り曲げて屈曲部を形成するので、屈曲部が簡単に形成できるものである。
【００１２】
更にまた、請求項５記載の発明は、替芯ケースの収納室を複数の室に分割し、各室ごとにそれぞれ異なる色の芯を収納するので、異なる色の芯が互いに接触して表面を汚すといった恐れが全く生じないものである。
【００１３】
更にまた、請求項６記載の発明は、本体及び仕切板を透明に構成することにより、収納室内の芯を容易に目視でき、収納室内の芯の本数が確認できるものである。
【００１４】
【実施例】
以下、図１、図２及び図３に基づいて本発明の替芯ケースにおける第１実施例を説明する。
【００１５】
本体１は、箱型に形成され、その上端には芯２を出し入れするための開口した芯出口１Ａが形成されている。更に、本体１の表壁１Ｂと裏壁１Ｃの上部内面には、互いに対向するように内方に突出した係止突起１Ｄが形成される。
【００１６】
蓋体３は、上部３Ａは断面外形が本体１の断面外形と略同形に形成されているが、下部３Ｂは本体１の芯出口１Ａに挿入可能に構成される。更に、蓋体３の下部３Ｂには表壁１Ｂと裏壁１Ｃの相対位置に外方に隆起した係止部３Ｃが形成されている。
【００１７】
仕切板４は、図４及び図５に示した様に上下に伸びて形成され、かつ下部に行くにしたがってわずかに細幅になるように形成されるとともに、下端４Ａが丸められて形成される。更に、仕切板４の中央には長手方向に伸びた凹溝４Ｂがプレス加工により形成される。したがって、仕切板４は、前記凹溝４Ｂ部分を折り曲げて屈曲部４Ｃを形成することにより、図６に示したような断面山型に容易に構成される。尚、図５では凹溝４Ｂは仕切板４の両面に形成されているが、凹溝４Ｂは片側の面のみに形成されていても良い。ただし、仕切板４の両面に凹溝４Ｂを形成した方が折り曲げる時の方向性がなく作業がし易いという利点がある。
【００１８】
このように構成された仕切板４は、下部から本体１の芯出口１Ａより挿入される。すると、仕切板４は本体１の収納室１Ｅ内に挿入されていくにしたがって屈曲部４Ｃが拡げられ、揺動することなく収納室１Ｅ内に配置される。つまり、本体１の収納室１Ｅは仕切板４により３つの室に分割される。
【００１９】
以上のように構成された替芯ケースの本体１には、例えば赤、青、緑といった３色の芯２が分割されたそれぞれの室に区分されて収納される。したがって、異なる色の芯２が接触して芯２の表面を汚してしまう恐れは全くない。
【００２０】
更に、本体１の上部に形成した芯出口１Ａに蓋体３の下部３Ｂを挿入し、本体１の係止突起１Ｄに蓋体３の係止部３Ｃを係合することによって、本体１の芯出口１Ａが閉じられる。
【００２１】
更に、本体１を透明のＡＳ樹脂で構成するとともに、仕切板４を透明のポリプロピレン樹脂で構成すれば、収納室１Ｅ内の芯２が目視でき、芯２の本数や芯２の色が容易に確認できる利点がある。
【００２２】
図７は本発明の他の実施例を示したもので、仕切板１４に長手方向に伸びた凹溝を２本形成し、該凹溝部分を折り曲げることによって屈曲部１４Ｃを形成する。したがって、仕切板１４を断面クランク状に形成することも可能である。
【００２３】
この仕切板１４を本体１の収納室１Ｅに挿入すれば、収納室１Ｅが２つの室に分割できるものである。
【００２４】
【発明の効果】
以上説明した本発明の替芯ケースは、極めて簡単に仕切板が形成できるとともに、仕切板を収納室内に挿入する作業も簡単に行うことができるので、極めて低価格で収納室を複数の室に分割できる効果が奏せられるものである。
【図面の簡単な説明】
【図１】本発明の替芯ケースを示す横断面図である。
【図２】本発明の替芯ケースを示す縦断面図である。
【図３】図２のＡ−Ａ線を示す縦断面図である。
【図４】本発明の替芯ケースにおける仕切板を示す平面図である。
【図５】本発明の替芯ケースにおける仕切板を示す正面図である。
【図６】図４に示した仕切板を折り曲げた状態を示す平面図である。
【図７】本発明の替芯ケースにおける他の実施例を示す横断面図である。
【符号の説明】
１  本体
１Ｅ  本体１の収納室
２  芯
３  蓋体
４  仕切板
４Ａ  仕切板４の下端
４Ｂ  仕切板４の凹溝
４Ｃ  仕切板４の屈曲部
１４  仕切板
１４Ｃ  仕切板１４の屈曲部
【図１】
0004526101.tif 000002
【図２】
0004526101.tif 000003
【図３】
0004526101.tif 000004
【図４】
0004526101.tif 000005
【図５】
0004526101.tif 000006
【図６】
0004526101.tif 000007
【図７】
0004526101.tif 000008